(57)【特許請求の範囲】
【請求項１】
写真フイルムに撮影コマあたり少なくとも１個ずつ形成した特定サイズのパーフォレーションに噛合する歯が少なくとも１個、円周上に突設されており、フイルム移送に伴って前記歯がパーフォレーションから外れた後には付勢手段の付勢によって次のパーフォレーションに噛合する直前の待機位置に付勢回転され、次のパーフォレーションが到達するまでの間で前記歯の歯面でスリップさせながらフイルム移送を許容するスプロケットを有し、写真フイルムを１コマ移送する間のスプロケットの回転力を利用してシャッタチャージを行うとともに、１コマ分のフイルム移送が行われた時点で前記スプロケットの回転を阻止してフイルム巻き止めを行うフイルム巻き上げ装置において、
前記付勢手段は、シャッタチャージ力を利用してスプロケットの歯がパーフォレーションから外れて次のパーフォレーションに噛合する迄の間で前記スプロケットをフイルム移送方向に沿った従動方向に付勢することを特徴とするフイルム巻き上げ装置。
【請求項２】
前記スプロケットは、前記歯を円周面上の１８０°隔てた位置にそれぞれ突設した形状となっており、１コマ分のフイルム移送が行われる間にその移送方向に沿った従動方向に半回転し、この間に、前記先行する歯がパーフォレーションから外れた後には前記付勢手段の付勢によって前記従動方向に付勢回転され、前記後続の歯が写真フイルムに当接して前記付勢回転が禁止された後にはこの後続の歯が次のパーフォレーションに係合するまでの間で前記歯の歯面でスリップさせながら写真フイルムの移送を許容するするとともに、
撮影終了後に前記写真フイルムをフイルム巻き上げ方向に移送する移送手段と、
前記スプロケットが半回転する間にこの回転を利用してバネ付勢に抗してチャージ位置に移動されるシャッタ駆動レバーと、
前記スプロケットが半回転した時点では前記シャッタ駆動レバーをチャージ位置に保持する巻き止め位置に移動して前記移送手段の移送を阻止するとともに、シャッタレリーズに連動して巻き止め解除位置に移動されて前記シャッタ駆動レバーのチャージ位置での保持を解除した後に前記移送手段の移送の阻止を解除する係止レバーとを備えたことを特徴とする請求項１記載のフイルム巻き上げ装置。
【請求項３】
２種類の間隔で交互に配列されたパーフォレーションのうち間隔の長いパーフォレーション間の中心を露光位置の長手方向の中心に合わせるように１コマずつ巻き上げられる前記写真フイルムを用いるとともに、
前記スプロケットは、短い間隔で並んだ一対のパーフォレーションが移動してきたときにこれらに順次に噛合する一対の歯が二対、円周面上の１８０°隔てた位置にそれぞれ突設され、１コマ分のフイルム移送が完了した時点で前記一対の歯がパーフォレーションに噛合しており、１コマ分のフイルム移送が行われる間にこれの移送方向に沿った従動方向に半回転し、この間に、前記先行する一対の歯が一対のパーフォレーションから外れた後には前記付勢手段の付勢によってスプロケットを従動方向に付勢回転させ、前記後続の一対の歯が写真フイルムに当接してスプロケットの付勢回転が禁止された後にはこの後続の一対の歯が次の一対のパーフォレーションに係合するまでの間で前記歯の歯面でスリップさせながら写真フイルムの移送を許容し、
また、前記付勢手段は、前記スプロケットの二対の歯のうち先行する一対の歯が前記一対のパーフォレーションから外れてから後続の一対の歯が次の一対のパーフォレーションに係合するまでの間で前記スプロケットを従動方向に付勢するとともに、
撮影終了後に前記写真フイルムをフイルム巻き上げ方向に移送する移送手段と、
前記スプロケットが半回転する間のうち前記一対の歯が一対のパーフォレーションに係合している間でのスプロケットの回転を利用してバネ付勢に抗してチャージ位置に移動されるシャッタ駆動レバーと、
前記スプロケットが半回転した時点では前記シャッタ駆動レバーをチャージ位置に保持する巻き止め位置に移動して前記移送手段の移送を阻止するとともに、シャッタレリーズに連動して巻き止め解除位置に移動して前記シャッタ駆動レバーのチャージ位置での保持を解除した後に前記移送手段の移送の阻止を解除する係止レバーとを備えたことを特徴とする請求項１記載のフイルム巻き上げ装置。
【請求項４】
前記付勢手段は、前記スプロケットと一体に回転する円周面上に突設された突起と、前記シャッタチャージ用のバネに付勢されたシャッタ駆動レバーの押圧により前記突起をスプロケットの従動方向に押圧する押圧レバーとから構成されていることを特徴とする請求項１ないし３いずれか記載のフイルム巻き上げ装置。
【請求項５】
写真フイルムに撮影コマあたり少なくとも１個ずつ形成した特定サイズのパーフォレーションに噛合する歯が少なくとも１個、円周上に突設されており、フイルム移送に伴って前記歯がパーフォレーションから外れた後には付勢手段の付勢によって次のパーフォレーションに噛合する直前の待機位置に付勢回転され、次のパーフォレーションが到達するまでの間で前記歯の歯面でスリップさせながらフイルム移送を許容するスプロケットを有し、写真フイルムを１コマ移送する間のスプロケットの回転力を利用してシャッタチャージを行うとともに、１コマ分のフイルム移送が行われた時点で前記スプロケットの回転を阻止してフイルム巻き止めを行うフイルム巻き上げ装置において、
前記付勢手段は、前記スプロケットの一部を切り欠いて弾性自在に設けた歯と、前記歯を弾性変形させて前記スプロケットを従動方向に押圧する押圧部とから構成されていることを特徴とするフイルム巻き上げ装置。
【請求項６】
前記スプロケットは、前記歯を円周面上の１８０°隔てた位置にそれぞれ突設した形状となっており、１コマ分のフイルム移送が行われる間にその移送方向に沿った従動方向に半回転し、この間に、前記先行する歯がパーフォレーションから外れた後には前記付勢手段の付勢によって前記従動方向に付勢回転され、前記後続の歯が写真フイルムに当接して前記付勢回転が禁止された後にはこの後続の歯が次のパーフォレーションに係合するまでの間で前記歯の歯面でスリップさせながら写真フイルムの移送を許容するするとともに、
撮影終了後に前記写真フイルムをフイルム巻き上げ方向に移送する移送手段と、
前記スプロケットが半回転する間にこの回転を利用してバネ付勢に抗してチャージ位置に移動されるシャッタ駆動レバーと、
前記スプロケットが半回転した時点では前記シャッタ駆動レバーをチャージ位置に保持する巻き止め位置に移動して前記移送手段の移送を阻止するとともに、シャッタレリーズに連動して巻き止め解除位置に移動されて前記シャッタ駆動レバーのチャージ位置での保持を解除した後に前記移送手段の移送の阻止を解除する係止レバーとを備えたことを特徴とする請求項５記載のフイルム巻き上げ装置。
【請求項７】
２種類の間隔で交互に配列されたパーフォレーションのうち間隔の長いパーフォレーション間の中心を露光位置の長手方向の中心に合わせるように１コマずつ巻き上げられる前記写真フイルムを用いるとともに、
前記スプロケットは、短い間隔で並んだ一対のパーフォレーションが移動してきたときにこれらに順次に噛合する一対の歯が二対、円周面上の１８０°隔てた位置にそれぞれ突設され、１コマ分のフイルム移送が完了した時点で前記一対の歯がパーフォレーションに噛合しており、１コマ分のフイルム移送が行われる間にこれの移送方向に沿った従動方向に半回転し、この間に、前記先行する一対の歯が一対のパーフォレーションから外れた後には前記付勢手段の付勢によってスプロケットを従動方向に付勢回転させ、前記後続の一対の歯が写真フイルムに当接してスプロケットの付勢回転が禁止された後にはこの後続の一対の歯が次の一対のパーフォレーションに係合するまでの間で前記歯の歯面でスリップさせながら写真フイルムの移送を許容し、
また、前記付勢手段は、前記スプロケットの二対の歯のうち先行する一対の歯が前記一対のパーフォレーションから外れてから後続の一対の歯が次の一対のパーフォレーションに係合するまでの間で前記スプロケットを従動方向に付勢するとともに、
撮影終了後に前記写真フイルムをフイルム巻き上げ方向に移送する移送手段と、
前記スプロケットが半回転する間のうち前記一対の歯が一対のパーフォレーションに係合している間でのスプロケットの回転を利用してバネ付勢に抗してチャージ位置に移動されるシャッタ駆動レバーと、
前記スプロケットが半回転した時点では前記シャッタ駆動レバーをチャージ位置に保持する巻き止め位置に移動して前記移送手段の移送を阻止するとともに、シャッタレリーズに連動して巻き止め解除位置に移動して前記シャッタ駆動レバーのチャージ位置での保持を解除した後に前記移送手段の移送の阻止を解除する係止レバーとを備えたことを特徴とする請求項５記載のフイルム巻き上げ装置。
【請求項８】
２種類の間隔で交互に配列されたパーフォレーションのうちの間隔の長いパーフォレーション間の中心を露光位置の長手方向の中心に合わせるように１コマずつ巻き上げられるとともに、隣り合う同士の２個のパーフォレーションをサイズの異なった大小２個のパーフォレーションで形成した写真フイルムを撮影終了後にフイルム巻き上げ方向に移送する移送手段と、
短い間隔で並んだ一対のパーフォレーションが移動してきたときにこれらに順次に噛合する一対の歯が二対、円周面上の１８０°隔てた位置にそれぞれ突設され、かつ前記一対の歯を、小パーフォレーションに係合する小歯と、大パーフォレーションに係合する大歯とから構成し、１コマ分のフイルム移送が完了した時点で前記一対の歯がパーフォレーションに噛合し、１コマ分のフイルム移送が行われる間にこれの移送方向に沿った従動方向に半回転するスプロケットと、
前記スプロケットの二対の歯のうち先行する一対の歯が前記一対のパーフォレーションから外れてから後続の一対の歯が次の一対のパーフォレーションに係合するまでの間で前記スプロケットを従動方向に付勢する付勢手段と、
前記スプロケットが半回転する間のうち前記一対の歯が一対のパーフォレーションに係合している間でのスプロケットの回転を利用してバネ付勢に抗してチャージ位置に移動されるシャッタ駆動レバーと、
前記スプロケットが半回転した時点では前記シャッタ駆動レバーをチャージ位置に保持する巻き止め位置に移動して前記移送手段の移送を阻止するとともに、シャッタレリーズに連動して巻き止め解除位置に移動して前記シャッタ駆動レバーのチャージ位置での保持を解除した後に前記移送手段の移送の阻止を解除する係止レバーとを備え、
写真フイルムを１コマ移送する間に、前記先行する一対の歯が一対のパーフォレーションから外れた後には前記付勢手段の付勢によってスプロケットを従動方向に付勢回転させ、前記後続の一対の歯が写真フイルムに当接してスプロケットの付勢回転が禁止された後にはこの後続の一対の歯が次の一対のパーフォレーションに係合するまでの間で前記歯の歯面でスリップさせながら写真フイルムの移送を許容することを特徴とするフイルム巻き上げ装置。
【請求項９】
前記スプロケットは、大パーフォレーションに係合する大歯が内側に向けて凹むように弾性自在に形成されていることを特徴とする請求項８記載のフイルム巻き上げ装置。
【発明の詳細な説明】
【０００１】
【産業上の利用分野】
本発明は、写真フイルムを１コマ分だけ移送するためのフイルム巻き上げ装置に関し、さらに詳しくは、特定サイズのパーフォレーションが１コマあたり少なくとも１個ずつ設けられた写真フイルムに用いられるフイルム巻き上げ装置に関するものである。
【０００２】
【従来の技術】
従来、レンズ付きフイルムユニットに用いられているフイルム巻き上げ装置は、巻き上げノブの回転操作によって国際標準規格に定められた１３５タイプの写真フイルムを移送し、この写真フイルムに所定ピッチで連続して設けられたパーフォレーションに８枚歯のスプロケットを係合させ、８個分のパーフォレーションの移動に従動してスプロケットが１回転した際にフイルム巻き上げノブの回転操作を禁止してフイルム巻き止めを行い、この間にフイルム移送力、すなわちスプロケットの回転力を利用してバネの付勢に抗したシャッタチャージを行うようにしている。このようなフイルム巻き上げ装置は、パーフォレーションの移動を機械的に検知する構成のため１コマ分のフイルム移送の検出が確実に行えるとともに、常にスプロケットの歯がパーフォレーションに係合しているため、バネの付勢に抗したシャッタチャージでも確実に行うことができる。しかも、パーフォレーションの通過をフォトセンサで監視しながらフイルム巻き止めを行うものと比較してローコストで達成できる利点をもっている。
【０００３】
ところで、特開平５−１９３６８号公報では、１コマあたり２個のパーフォレーションを形成した写真フイルムが提案されている。これらの２個のパーフォレーションは、各コマごとにコマの先頭に対応する位置とコマの後端に対応する位置とに設けられ、これらのパーフォレーション間に各コマが撮影されることを前提としている。このためパーフォレーションは、１コマ分の長さを決めるための長い間隔と、各コマの相互間隔を決めるための短い間隔との２種類の間隔で交互に並んでいる。
【０００４】
【発明が解決しようとする課題】
このような写真フイルムの１コマ送りを簡便に検知するには、パーフォレーションの移動をフォトセンサで監視し、１個おきにパーフォレーションの移動を光電検知するか、あるいは長短いずれかの間隔で並んだ一対のパーフォレーションの移動を光電検知すればよい。しかし、このような手法を採る場合には、フォトセンサ及びフォトセンサからの光電信号を増幅したり波形整形したりするための回路が必要となって回路構成が複雑化し、ローコスト型のコンパクトカメラには不向きである。
【０００５】
また、簡易型の１１０カメラで行われているように、バネ付勢によって機械的に変位してパーフォレーションに出入りする検知爪を用い、各コマの後端位置に設けたパーフォレーションに検知爪が入ったとき、あるいは入ってから一定長さ移動したときにフイルムの１コマ送りを検知することもできる。しかし、このような手法では、パーフォレーションから検知爪を引き抜くための機構が不可欠であり、連動機構が複雑になって誤動作しやすいだけでなく、フイルムの移送方向と直交する方向に検知爪を移動させるため、組み込みスペースの点でも不利になる。
【０００６】
本発明は上記事情を考慮してなされたもので、特定サイズのパーフォレーションが１コマあたり少なくとも１個ずつ形成された写真フイルムに好適であり、写真フイルムの移送に従動するスプロケットの回転によりフイルム１コマ送りを検知し、しかもこの回転の間でシャッタチャージを行うようにしたフイルム巻き上げ装置を提供することを目的とする。
【０００７】
【課題を解決するための手段】
上記目的を達成するために、請求項１記載のフイルム巻き上げ装置では、シャッタチャージ力を利用してスプロケットの歯がパーフォレーションから外れて次のパーフォレーションに噛合する迄の間で前記スプロケットをフイルム移送方向に沿った従動方向に付勢する付勢手段を設けたものである。スプロケットには、円周面上に前記パーフォレーションに噛合する歯が少なくとも１個突設されている。これによれば、フイルム移送に伴って前記歯がパーフォレーションから外れた後には前記付勢手段の付勢によって次のパーフォレーションに噛合する直前の待機位置に付勢回転され、次のパーフォレーションが到達するまでの間で前記歯の歯面でスリップさせながらフイルム移送を許容する。
【０００８】
請求項２記載のフイルム巻き上げ装置では、請求項１に記載のフイルム巻き上げ装置において、スプロケットは、歯を円周面上の１８０°隔てた位置にそれぞれ突設した形状となっており、１コマ分のフイルム移送が行われる間にその移送方向に沿った従動方向に半回転し、この間に、先行する歯がパーフォレーションから外れた後には付勢手段の付勢によって従動方向に付勢回転され、後続の歯が写真フイルムに当接して付勢回転が禁止された後にはその後続の歯が次のパーフォレーションに係合するまでの間で歯の歯面でスリップさせながら写真フイルムの移送を許容するするとともに、撮影終了後に写真フイルムをフイルム巻き上げ方向に移送する移送手段と、スプロケットが半回転する間にこの回転を利用してバネ付勢に抗してチャージ位置に移動されるシャッタ駆動レバーと、スプロケットが半回転した時点ではシャッタ駆動レバーをチャージ位置に保持する巻き止め位置に移動して移送手段の移送を阻止するとともに、シャッタレリーズに連動して巻き止め解除位置に移動されてシャッタ駆動レバーのチャージ位置での保持を解除した後に移送手段の移送の阻止を解除する係止レバーとを備えたものである。
【０００９】
【作用】
移送手段により写真フイルムをフイルム巻き上げ方向に移送すると、スプロケットが半回転する。この回転は、２つの歯のうち先行する歯とパーフォレーションとが係合している間では写真フイルムの移送力を利用して回転し、また前記歯がパーフォレーションから外れて後続の歯が次のパーフォレーションに係合するまでの間では付勢手段の付勢によって回転される。この付勢回転は瞬時に行われるため、写真フイルムは未だ１コマ分の長さだけ移送されておらず、したがって、後続の歯が写真フイルムに当接してスプロケットの付勢回転が禁止される。この間、移送手段による写真フイルムの移送が引き続き行われているため、スプロケットの回転が禁止された後にはこの後続の歯が次のパーフォレーションに係合するまでの間で写真フイルムが歯の歯面でスリップしながら移送される。
【００１０】
その後、次のパーフォレーションに後続の歯が噛合することでスプロケットが写真フイルムの移送力を利用して回転し、この間、シャッタ駆動レバーがチャージ位置に移動しており、半回転した時点で係止レバーが巻き止め位置に移動して、シャッタ駆動レバーをチャージ位置に保持するとともに、移送手段の移送を阻止する。そして、シャッタレリーズが行われるのに連動して係止レバーが巻き止め解除位置に移動され移送手段の移送阻止が解除され、次回のフイルム巻き上げが行える。
【００１１】
請求項３記載の発明では、２種類の間隔で交互に配列されたパーフォレーションのうち間隔の長いパーフォレーション間の中心を露光位置の長手方向の中心に合わせるように写真フイルムを１コマずつ巻き上げるフイルム巻き上げ装置であり、この装置のスプロケットには、短い間隔で並んだ一対のパーフォレーションが移動してきたときにこれらに順次に係合する一対の歯が二対、円周面上の１８０°隔てた位置にそれぞれ突設されている。そして、付勢手段は、スプロケットの二対の歯のうち先行する一対の歯が一対のパーフォレーションから外れてから後続の一対の歯が次の一対のパーフォレーションに係合するまでの間でスプロケットを従動方向に付勢する。
【００１２】
ところで、スプロケットの回転を利用してチャージ位置に移動されるシャッタ駆動レバーは、バネの付勢に抗して行われる。このバネの付勢が付勢手段の付勢よりも大きい場合には、スプロケットの歯とパーフォレーションとが係合していない間、すなわち、スプロケットが付勢手段の付勢により回転している間でシャッタチャージを行うようにすると、スプロケットが回転しない恐れがある。そこで、シャッタ駆動レバーをチャージ位置に移動させるタイミングとしては、スプロケットの歯がパーフォレーションに係合している間で行うようにするのが望ましい。しかも、請求項３記載の発明によれば、一対のパーフォレーションに一対の歯を係合させるようにしているから、半回転のうちでスプロケットが写真フイルムの移送力を利用して回転する範囲が広いので好適である。
【００１３】
写真フイルムとしては、請求項８に記載したように、１コマあたりにサイズの異なった大小２個のパーフォレーションが形成されたものでもよい。この場合には、スプロケットの一対の歯としては、小パーフォレーションに係合する小歯と、大パーフォレーションに係合する大歯とで構成するのが望ましい。しかも、請求項９に記載のように、大歯を弾性自在に形成することで、小歯が大パーフォレーションにずれて噛合したとしても、次の大歯が写真フイルムに当接して凹むため、スプロケットの回転が許容されるから、コマ送りミスが１コマ分だけで済む。
【００１４】
付勢手段としては、スプロケットと一体に回転する円周面上に突設された突起と、前記突起をスプロケットの従動方向に押圧する板バネとで構成してもよい。これによれば、単に円周面上に設けた突起と板バネとを設けるだけでよいから、それ程広いスペースを必要とせず、しかも安価に達成することができる。また、他の付勢手段としては、請求項５ないし７に記載したように、スプロケットの一部を切り欠いて弾性自在に設けた歯と、この歯を弾性変形させてスプロケットを従動方向に押圧する押圧部とで構成したものでもよい。
【００１５】
なお、写真フイルムの１コマ移送は、シャッタレリーズの際に写真フイルムが動かないように、スプロケットの歯がパーフォレーションに確実に噛合した時点で完了させるのが望ましい。
【００１６】
【実施例】
以下、本発明のフイルム巻き上げ装置をレンズ付きフイルムユニットに適用した実施例をもとに説明する。レンズ付きフイルムユニット（以下「フイルムユニット」と称す。）１０は、図１に示すように、外ケース１１とユニット本体１２とから構成されており、外ケース１１には、撮影レンズ１３、シャッタボタン１４、巻き上げノブ１５、及びファインダー窓１６、及び撮影枚数表示窓１７等を外部に露呈させる開口が形成されている。
【００１７】
ユニット本体１２は、図２に示すように、本体基部１８、後カバー１９、露光ユニット２０、及び前カバー２１とから構成されている。
【００１８】
本体基部１８の前面には、露光ユニット２０が着脱自在に取り付けられる。露光ユニット２０は、撮影レンズ１３を備えた露光付与機構、フイルム巻き上げ機構、及びシャッタチャージ機構等が組み込まれており、これらはユニット化されている。後カバー１９は、本体基部１８の背後に着脱自在に取り付けられ、本体基部１８との間でパトローネ付き写真フイルム２２を光密に収納する。
【００１９】
前カバー２１は、本体基部１８の前面に着脱自在に取り付けられる。この前カバー２１の上面には、一部を切り欠いて弾性自在に形成したシャッタボタン１４が設けられている。このシャッタボタン１４の下部には、押圧ロッド２３が設けられており、詳しくは後述する係止レバー４４を押圧して露光付与機構を作動させる。
【００２０】
本体基部１８には、パトローネ２４を収納するためのパトローネ収納室２５と、パトローネ２４から全部引き出した未露光の写真フイルム２６をフイルムロール２６ａの形態で収納するためのフイルムロール室２７とが一体成形されている。本実施例では、フイルムロール２６ａを巻芯２８に巻き付けて形成している。この巻芯２８は、後カバー１９に設けた一対のフォーク２９，３０によって上下端がフイルムロール２６ａの内部で回動自在に支持される。なお、巻芯２８を省略したフイルムール２６ａをフイルムロール室２７に収納するようにしてもよい。この場合には、フォーク２９を省略することができる。
【００２１】
パトローネ収納室２５とフイルムロール室２７との底は開口となっており、パトローネ付き写真フイルム２２を装填した後に、後カバー１９に設けたプルトップ式の底蓋３１，３２によってそれぞれ塞がれる。
【００２２】
パトローネ収納室２５とフイルムロール室２７との間には、暗箱３３が設けられている。暗箱３３の背面側には露光開口が形成されている。この露光開口は、ここを通るフイルム面とともに撮影レンズ１３を通る光軸１３ａを中心として湾曲した形状となっている。また後カバー１９には、フイルム面に対峙する部分にフイルム支持面３４が形成されている。このフイルム支持面３４もフイルム面と同じに湾曲している。なお、暗箱３３を露光ユニット２０側に設けてもよい。また、暗箱３３を分割して一部を露光ユニット２０に、他部を本体基部１８に設け、露光ユニット２０を本体基部１８に取り付けることで暗箱３３が形成されるようにしてもよい。
【００２３】
暗箱３３の前面側には、撮影レンズ１３を透過した被写体光を露光開口に導くための開口３４が形成されている。また、暗箱３３の上方には、詳しくは後述するスプロケットを写真フイルム２６に向けて露呈させるための開口３３ａが形成されている。この開口３３ａは、撮影レンズ１３側から見た露光開口に対して上方左側に形成されている。
【００２４】
巻き上げノブ１５は、パトローネ収納室２５の上面に回動自在に配置され、パトローネ２４のスプール３５に係合する。この巻き上げノブ１５は、一部が後カバー１９の開口３６から露呈しており、露呈した一部をフイルム巻き上げ方向（同図に示す反時計方向）に回転させることにより、スプール３５がフイルム巻き取り方向に回転して撮影済みの写真フイルム２６をパトローネ２４の内部に収納する。
【００２５】
巻き上げノブ１５の外周には歯列１５ａが形成されている。この歯列１５ａには、本体基部１８に設けた逆止爪３７が係合している。逆止爪３７は、巻き上げノブ１５がフイルム巻き上げ方向とは逆の方向（同図に示す時計方向）に回転操作されることを禁止している。
【００２６】
写真フイルム２６は、写真フイルム２６の後端がスプール３５に係止されており、図３に示すように、フイルム先端部２６ｂ、フイルム露光部２６ｃ、及びフイルム後端部２６ｄとから構成されている。フイルム露光部２６ｃには、一方の側縁に沿ってサイズの異なった大小２個のパーフォレーション３９，４０が２種類の間隔で交互に配列されており、間隔の長いパーフォレーション３９，４０の間の中心を前記露光開口のフイルム給送方向（長手方向）の中心に合わせた状態で露光を行いコマ３８が形成される。
【００２７】
この写真フイルム２６は、一般のカメラでコマ位置決め用に用いられる同じサイズのパーフォレーションを１コマあたり２個ずつ形成した市販形態の写真フイルムを、フイルムユニット１０専用とするために加工を施している。加工は、乳剤面側から見て、コマ３８に対してフイルムユニット１０でのフイルム巻き上げ方向（同図に示す矢印方向）側のパーフォレーションのサイズを大きくする。
【００２８】
この加工時には、フイルム先端部２６ｂ側のコマ３８ａ（フイルムユニット１０では最終コマ）とフイルム後端部２６ｄ側のコマ３８ｂ（フイルムユニット１０では最初のコマ）の隣にそれぞれ大小のパーフォレーション３９ａ，４０ａが１個ずつ形成され、短い間隔で並んだ大小のパーフォレーション３９，４０が必ず対となるようにされる。フイルム先端部２６ｂの大パーフォレーション３９ａは、市販形態の写真フイルムに予め形成されたパーフォレーションを大きく加工したものであり、また、フイルム後端部２６ｄの小パーフォレーション４０ａは市販形態の写真フイルムには形成されておらず、新たに形成したものである。
【００２９】
これによりフイルムユニット１０に専用で用いられる写真フイルム２６には、大パーフォレーション３９が乳剤面側から見てコマ３８の左上、すなわちコマ３８に対してフイルム巻き上げ方向側に配列される。この大パーフォレーション３９は、小パーフォレーション４０よりもフイルム給送方向に沿った長さが長くされている。他方の小パーフォレーション４０はコマ３８の右上、すなわち、コマ３８に対してフイルム巻き上げ方向とは逆側に配列されており、当然大パーフォレーション３９よりもフイルム給送方向に沿った長さが短くなっている。そして、どちらのパーフォレーション３９，４０もフイルム幅方向の長さは同じとされている。
【００３０】
露光ユニット２０には、露光付与機構、フイルム巻き止め機構、及びシャッタチャージ機構の他に、フイルムカウンタ機構が設けられている。これらの機構は、図４及び図５に示すように、スプロケット４１、回転部材４２、シャッタ駆動レバー４３、係止レバー４４、板バネ４５、捩じりバネ４６、シャッタ羽根４７、及び枚数表示板５５等とから構成されている。
【００３１】
露光ユニット２０のベース板４８には、上面に２つの軸５３，５４と軸受開口４９とが一体に形成されている。軸５３には、シャッタ駆動レバー４３と枚数表示板５５とが順に挿入される。他方、軸５４には、捩じりバネ４６と係止レバー４４とが順に挿入される。
【００３２】
軸受開口４９には回転部材４２が挿入される。回転部材４２は、下から順に、被押圧部５０、シャッタチャージカム５１、巻き止めカム５２、及び二歯ギヤ５６とが一体に形成されている。被押圧部５０の下方には、開口３３ａからフイルム面に向けて露呈されるスプロケット４１が連結される。
【００３３】
スプロケット４１には、短い間隔で並んだ一対のパーフォレーション３９，４０に順次に噛合する一対の大小の歯４１ａ，４１ｂが、円周面４１ｃの上で１８０°隔てた位置、すなわち回転対称の位置に二対、突設されており、１コマ分のフイルム移送に従動して半回転する。この円周面４１ｃの長さとしては写真フイルム２６の１コマ分の長さと同じか、或いはこれよりも短くするのが望ましい。なお、スプロケット４１の従動方向は、同図に示す反時計方向である。
【００３４】
大歯４１ａは、フイルム給送方向の長さが小パーフォレーション４０よりも長く、大パーフォレーション３９よりも僅かに短いサイズで形成され、大パーフォレーション３９にのみ噛合する。また小歯４１ｂは、小パーフォレーション４０に噛合するサイズとなっている。そして、写真フイルム２６の１コマ移送では、一対の歯のうち小歯４１ｂが小パーフォレーション４０から外れ、大歯４１ａが大パーフォレーション３９に噛合した状態で完了する。
【００３５】
被押圧部５０には、円周面上の１８０°隔てた位置、すなわち回転対称の位置に一対の山条の突起５０ａがそれぞれ形成されており、円周面上に板バネ４５が付勢している。この板バネ４５は、スプロケット４１の二対の歯のうちいずれかの一対の歯４１ａ，４１ｂが短い間隔のパーフォレーション３９，４０に係合している間で突起５０ａに押されて弾性変形し、スプロケット４１の回転を許容し、また、一対の歯４１ａ，４１ｂが短い間隔のパーフォレーション３９，４０から外れてから後続の歯４１ｂが次のパーフォレーション４０に係合するまでの間では突起５０ａを押してスプロケット４１を従動方向に付勢する。
【００３６】
捩じりバネ４６は、一端４６ａがシャッタ駆動レバー４３のバネ受け部４３ａ（図５参照）に係合しており、軸５３を中心としてシャッタ駆動レバー４３を反時計方向（レリーズ完了位置）に向けて付勢している。また捩じりバネ４６の他端４６ｂは、係止レバー４４の立ち下がり片４４ａに係合し、軸５４を中心として係止レバー４４を時計方向（巻き止め位置）に向けて付勢している。シャッタチャージカム５１には、１８０°隔てた位置、すなわち回転対称の位置に一対のカム５１ａがぞれぞれ形成されており、これらの回転軌跡内にシャッタ駆動レバー４３の一端４３ｂが臨んでいる。カム５１ａは、スプロケット４１が半回転する間でシャッタ駆動レバー４３を捩じりバネ４６の付勢を抗して時計方向（チャージ位置）に向けて回転させる。
【００３７】
１コマ分のフイルム移送が行われると、回転部材４２が反時計方向に半回転する。この半回転で、巻き止めカム５２の外周に１８０°隔てた位置、すなわち、回転対称の位置に設けられた一対の溝５２ａのうちのいずれか一方に係止レバー４４の爪部４４ｂが嵌入し、スプロケット４１の回転をロックする。この状態が係止レバー４４の巻き止め位置となる。また、係止レバー４４が巻き止め位置に回転する途中では、係止レバー４４の下突条部４４ｃがシャッタ駆動レバー４３の立ち上がり片４３ｃの回動軌跡内に入り込み、シャッタ駆動レバー４３をチャージ位置で保持する。さらに、係止レバー４４が巻き止め位置に回転した際には、巻き止め爪４４ｄが巻き上げノブ１５の外周の歯列１５ａに係合してフイルム巻き上げ操作を禁止する。
【００３８】
一対のカム５１ａは、捩じりバネ４６の付勢に抗してシャッタ駆動レバー４３をチャージ位置に回転させるタイミングとして、スプロケット４１の一対の歯４１ａ，４１ｂと一対のパーフォレーション３９，４０とが係合していない時に行うようにすると、板バネ４５の付勢力によってもスプロケット４１が従動方向に付勢回転しない恐れがあるため、１対の歯４１ａ，４１ｂが１対のパーフォレーション３９，４０に噛合している間でシャッタ駆動レバー４３をチャージ位置に向けて回転させるように形状が決められている。
【００３９】
シャッタボタン１４の押下操作によって押圧ロッド２３が係止レバー４４の立ち下がり片４４ａを押圧し、係止レバー４４が反時計方向（巻き止め解除位置）に向けて回転される。この回転により係止レバー４４の下突条部４４ｃがシャッタ駆動レバー４３の立ち上がり片４３ｃの回動軌跡内から外れる。これにより、シャッタ駆動レバー４３が捩じりバネ４６の付勢によって軸５３を中心に反時計方向に回転される。この回転は、蹴飛ばしアーム４３ｄがストッパ５８に当接した時点で終了する。この状態がシャッタ駆動レバー４３のレリーズ完了位置となる。この回転途中で、蹴飛ばしアーム４３ｄがシャッタ羽根４７を蹴飛ばす。
【００４０】
また、シャッタ駆動レバー４３がレリーズ完了位置に回転すると、立ち上がり片４３ｃが係止レバー４４の下突条部４４ｃの回動軌跡内に入り込んで、係止レバー４４を巻き止め解除位置で保持する。係止レバー４４が巻き止め解除位置の状態となると、巻き止め爪４４ｄが歯列１５ａから退避し、また、爪部４４ｂが溝５２ａから退避している。これにより、次回のフイルム巻き上げ操作が許容される。
【００４１】
ベース板４８の前面には、光軸１３ａと平行に軸５９が形成されている。この軸５９には、シャッタ羽根４７が揺動自在に軸着される。シャッタ羽根４７は、引き戻しバネ６０の付勢により光軸１３ａ上に設けたシャッタ開口６１を遮蔽する位置と、シャッタ駆動レバー４３の蹴飛ばしによりシャッタ開口６１を露呈する位置との間で一往復揺動する。
【００４２】
二歯ギヤ５６には、枚数表示板５５の外周に形成されたギヤ５５ａが噛合している。したがって、スプロケット４１が半回転すると二歯ギヤ５６のうち一方の歯によって枚数表示板５５を一目盛り分だけ時計方向に回転させる。枚数表示板５５の上面には、その回転ピッチに対応して枚数表示用の目盛りが設けられている。この目盛りはその時点で撮影可能なフイルム枚数、すなわち残数表示目盛りとなっているから、この目盛りを表示窓１７を通して観察することによって残りコマ数を確認することができる。
【００４３】
なお、最後のコマ３８に撮影を終了した後のフイルム巻き上げ操作によって、写真フイルム２６を全部パトローネ２４に巻き込む必要がある。このため、枚数表示板５５の下面に一対のカム５５ｂ，５５ｃを形成し、最終コマ３８ａに撮影を終えた後のフイルム巻き上げ操作の過程でカム５５ｂ，５５ｃの間に係止レバー４４の立ち上がり突起４４ｅを入り込ませる。係止レバー４４がこのような状態にされると、溝５２ａから爪部４４ｂが退避し、また、巻き止め爪４４ｄが歯列１５ａから退避し、さらに、下突条部４４ｃがシャッタ駆動レバー４３の立ち上がり片４３ｃの回動軌跡内に入り込んでシャッタ駆動レバー４３をチャージ位置で保持するフイルム収納許容位置に保持される。
【００４４】
次に、上記構成の作用を説明する。撮影終了時の状態は、図５に示すように、スプロケット４１の一対の大小歯４１ａ，４１ｂのうち小歯４１ｂがパーフォレーション４０から外れ、大歯４１ａがパーフォレーション３９に噛合した状態となっている。このとき被押圧部５０は、突起５０ａの一方が板バネ４５を弾性変形させる直前の状態となっている。また、シャッタ駆動レバー４３は、立ち上がり片４３ｃが係止レバー４４の下突条部４４ｃの回動軌跡内に入り込んで、係止レバー４４を巻き止め解除位置に保持している。
【００４５】
巻き上げノブ１５を反時計方向に回転させてフイルム巻き上げ操作を行うと、写真フイルム２６がフイルム巻き上げ方向に向けて移送される。このフイルム移送に従動してスプロケット４１が反時計方向に回転する。このフイルム移送を利用した回転は、大歯４１ａが大パーフォレーション３９に噛合している間で行われる。この間、図６に示すように、被押圧部５０の突起５０ａが板バネ４５を押して弾性変形させながら回転している。そして、大歯４１ａが大パーフォレーション３９から外れた際には、突起５０ａが図６に実線で示した状態となる。この状態となると、板バネ４５が突起５０ａの斜面を反時計方向に向けて付勢している。このため、大歯４１ａが大パーフォレーション３９から外れてからは、スプロケット４１が板バネ４５の付勢力を利用して従動方向に回転する。
【００４６】
この回転は、後続の一対の大小の歯４１ｂ，４１ａのうち小歯４１ｂが写真フイルム２６に到達するまでの間で行われ、同図に示す点線で示した状態となる。この間は、板バネ４５の付勢力により瞬時に行われるから、写真フイルム２６の移送が１コマ分には達しておらず、したがって次の小パーフォレーション４０が未だ到達していない。このため、スプロケット４１の回転は、小歯４１ｂの歯面が写真フイルム２６に当接した時点で一旦停止する。そして、スプロケット４１の回転が停止している間では、小歯４１ｂの歯面と円周面４１ｃとを写真フイルム２６がスリップしながら移送される。なお、小歯４１ｂの歯面が写真フイルム２６に当接する部分は撮影画面外であるので問題はない。
【００４７】
引続き行われるフイルム巻き上げ操作によって、小パーフォレーション４０がスプロケット４１に向けて移送され、図７に示すように、小歯４１ｂが小パーフォレーション４０に噛合すると、再びスプロケット４１は写真フイルム２６の移送力を利用して従動方向に回転する。板バネ４５は、小歯４１ｂが小パーフォレーション４０に確実に噛合するまで突起５０ａを押しているため、小歯４１ｂと小パーフォレーション４０とは確実に噛合する。そして、図８に示すように、小歯４１ｂが小パーフォレーション４０に噛合した状態となると、突起５０ａが板バネ４５から離れた位置に回転しているため、板バネ４５によるスプロケット４１の付勢が終了する。
【００４８】
また、小歯４１ｂが小パーフォレーション４０に噛合した時点では、一方のカム５１ａが一端４３ｂを押し上げて軸５３を中心にシャッタ駆動レバー４３をチャージ位置に向けて回転させる。シャッタ駆動レバー４３がチャージ位置に向けて回転している間では、立ち上がり片４３ｃが下突条部４４ｃの回動軌跡内に入り込んだままの状態で行われるため、係止レバー４４は巻き止め解除位置に保持されたままの状態となっている。
【００４９】
シャッタ駆動レバー４３がチャージ位置に到達すると、立ち上がり片４３ｃが下突条部４４ｃの回動軌跡内から退避するため、係止レバー４４の巻き止め解除位置での保持が解除される。これにより、係止レバー４４は捩じりバネ４６の付勢により巻き止め位置に向けて回転する。この回転中に下突条部４４ｃが立ち上がり片４３ｃの回動軌跡内に入り込むため、係止レバー４４がシャッタ駆動レバー４３をチャージ位置で保持することになる。
【００５０】
写真フイルム２６が１コマ分の長さだけ移送されると、図９に示すように、スプロケット４１が半回転し、この回転に伴って回転部材４２も半回転する。回転部材４２が半回転すると、巻き止めカム５２の溝５２ａに係止レバー４４の爪部４４ｂが嵌入して係止レバー４４が巻き止め位置に回転した状態となる。これにより、スプロケット４１の回転が禁止されるとともに、巻き止め爪４４ｄが巻き上げノブ１５の外周の歯列１５ａに係合するため、フイルム巻き上げ操作も禁止される。
【００５１】
この係止レバー４４が巻き止め位置に到達するまでの回転中には、下突条部４４ｃがシャッタ駆動レバー４３の立ち上がり片４３ｃの回動軌跡内に入り込んだまま行われるので、シャッタ駆動レバー４３のチャージ位置での保持が継続されている。なお、スプロケット４１の半回転によって二歯ギヤ５６のうち一方の歯が枚数表示板５５を１目盛り分だけ歩進させる。
【００５２】
撮影は、シャッタボタン１４の押下操作によって行う。この操作によってシャッタボタン１４の下部に設けられた押圧ロッド２３が立ち下がり片４４ａを同図に示す矢印Ｂ方向に向けて押圧する。この押圧により係止レバー４４が捩じりバネ４６の付勢に抗して半時計方向、すなわち巻き止め解除位置に向けて回転する。この係止レバー４４の回転により下突条部４４ｃが立ち上がり片４３ｃの回動軌跡内から退避して、シャッタ駆動レバー４３が捩じりバネ４６の付勢によりレリーズ完了位置まで瞬時に回転し、図５に示した状態となる。
【００５３】
シャッタ駆動レバー４３のレリーズ完了位置に向けての回転中には、蹴飛ばしアーム４３ｄがシャッタ羽根４７を蹴飛ばす。この蹴飛ばしによってシャッタ羽根４７は軸５９を中心に一往複揺動する。この一往複揺動の間に、撮影レンズ１３を透過した被写体光が露光開口にセットされた写真フイルム２６に入射して露光が行われる。なお、シャッタ駆動レバー４３がレリーズ完了位置に移動した時点では、立ち上がり片４３ｃが下突条部４４ｃの回動軌跡内に入り込んで係止レバー４４を巻き止め解除位置に保持している。
【００５４】
以後、前述した操作を繰り返すことにより撮影が順次に行われる。そして、写真フイルム２６の最終コマ３８ａに撮影を終えた後も、図５に示す状態となる。その後のフイルム巻き上げ操作によって、シャッタ駆動レバー４３がチャージ位置に向けて回転される。シャッタ駆動レバー４３がチャージ位置に回転すると、係止レバー４４の巻き止め解除位置での保持が解除され、係止レバー４４が捩じりバネ４６の付勢により巻き止め位置に向けて回転する。
【００５５】
この回転途中では、下突条部４４ｃが立ち上がり片４３ｃの回動軌跡内に入り込み、係止レバー４４がシャッタ駆動レバー４３をチャージ位置で保持する。この間、写真フイルム２６の移送によりスプロケット４１と一体に二歯ギヤ５６が回転しているため、枚数表示板５５も１目盛り分だけ歩進し、撮影枚数表示窓１７に「０」の表示を行う。この枚数表示板５５の最後の一目盛り分の歩進によりカム５５ｂが係止レバー４４の立ち上がり突起４４ｅの回動軌跡内に入り込むとともに、カム５５ｂ，５５ｃとで立ち上がり突起４４ｅを挟み込んで係止レバー４４をフイルム収納許容位置に保持する。
【００５６】
このような状態にされると、溝５２ａから爪部４４ｂが退避してスプロケット４１の回転がフリーとなり、また、巻き止め爪４４ｄが巻き上げノブ１５の歯列１５ａから退避してフイルム巻き上げ操作を許容しており、さらに、係止レバー４４がシャッタ駆動レバー４３をチャージ位置で保持したままの状態となる。これにより、最後のコマ３８ａの隣に形成されたパーフォレーション３９ａが移送されてきても、フイルム巻き止めが作動することがなく、したがって、フイルム露光部２６ｂ以外に露光が行われることもない。
【００５７】
その後、スプロケット４１の位置には、パーフォレーション３９，４０が形成されていない部分、すなわちパーフォレーション３９，４０が配列されていないフイルム先端部２６ｂが通過する。このときスプロケット４１は、図６に点線で示した状態、すなわち、先行する一対の歯４１ａ，４１ｂのうち大歯４１ａがパーフォレーション３９から外れ、後続の一対の歯４１ａ，４１ｂのうち小歯４１ｂの歯面がフイルム先端部２６ｂの部分に当接し、写真フイルム２６のスリップ移送を許容する。これにより、写真フイルム２６の全部をパトローネ２４の内部に確実に収納することができる。
【００５８】
なお、最後の撮影を終了した後のフイルム巻き上げ操作の間にシャッタボタン１４が押下されると、係止レバー４４が巻き止め解除位置に向けて回転しようとするが、カム７７ｂが係止レバー４４の巻き止め解除位置に向けての回転を阻止するから、シャッタ駆動レバー４３のチャージ位置での保持が解除されることはない。
【００５９】
撮影済みのフイルムユニット１０は、そのまま現像所に提出される。現像所では、後カバー１９の蓋３１を開いてパトローネ２４を取り出し、撮影済みの写真フイルム２６を従来どおりに現像及び焼付け処理する。このように処理を行った後に、ユーザーにプリント写真とネガフイルムとを返却する。そして、空のフイルムユニット１０は工場に回収されリサイクルされる。なお、上記実施例で説明した図５から図９では、図面の煩雑化を防ぐために、スプロケット４１、及び被押圧部５０との軸を一点鎖線に沿ってずらして記載している。また図６から図９では、図面の繁雑化を防ぐために捩じりバネ４６を省略している。
【００６０】
上記実施例では、１コマ分のフイルム移送が完了した時点で、歯４１ａがパーフォレーション３９に噛合した状態でスプロケット４１の回転が完了するようにしているが、本発明ではこれに限らず、歯４１ｂがパーフォレーション４０に噛合した状態、或いは歯４１ａ，４１ｂがパーフォレーション３９，４０に噛合していない状態で１コマ分のフイルム移送が完了するようにしてもよい。しかしながら、シャッタレリーズの際に写真フイルム２６が動かないようにしておくために歯がパーフォレーションに噛合した状態とした方が好適である。
【００６１】
上記実施例では、写真フイルム２６の１コマ移送の間に、２つの突起５０ａのうち何れか一方を板バネ４５で押してスプロケット４１を従動方向に付勢する付勢手段としているが、本発明ではこれに限らず、板バネ４５の代わりに、図１０に示すように、シャッタ駆動レバー４３をレリーズ完了位置に向けて付勢しているチャージ用の捩じりバネ４６の力を利用してスプロケットを従動方向に付勢回転させる押圧レバー７０を設けてもよい。
【００６２】
図１０に示すように、押圧レバー７０は、先端７０ａが被押圧部５０の一対の突起５０ａの回転軌跡内に臨むように、ベース板４８に設けた軸７１に回動自在に支持されている。この押圧レバー７０には、突条部７０ｂが一体に設けられている。シャッタ駆動レバー４３には、バネ受け部４３ａ，シャッタチャージカム５１の回転軌跡内に臨む一端４３ｂ，立ち上がり片４３ｃ、蹴飛ばしアーム４３ｄの他に、前記突条部７０ｂの回動軌跡内に臨む押圧片４３ｅが一体に設けられている。
【００６３】
スプロケット７２は、前述した実施例と同じに一対の大小の歯７２ａ，７２ｂが回転対称の位置に二対設けられている。このうち、大歯７２ａは、一部が切り欠かれており、内部に入り込む方向に向けて弾性自在とされている。
【００６４】
シャッタレリーズ後の状態は、図１１に示すように、スプロケット７２は、大歯７２ａがパーフォレーション３９に噛合した状態で停止している。シャッタ駆動レバー４３は、レリーズ完了位置の状態とされている。この状態では、蹴飛ばしアーム４３ｄが捩じりバネ４６の付勢に抗してストッパー５８に当接している。押圧レバー７０は、突条部７０ｂに押圧片４３ｅの付勢が作用していないため、フリーとされている。
【００６５】
フイルム巻き上げ操作が行われると、写真フイルム２６の移送に従動してスプロケット７２が反時計方向に回転し、図１２に示すように、大歯７２ａがパーフォレーション３９から抜けた状態となる。この間、シャッタ駆動レバー４３がチャージ位置に向けて回転されるが、この回転が僅かであるため、シャッタ羽根４７ａの蹴飛ばし部を乗り越えることはない。この時点で、押圧レバー７０の先端７０ａが回転方向の反対側の歯面に当接する位置まで被押圧部５０の突起５０ａが回転している。
【００６６】
スプロケット７２は、大歯７２ａがパーフォレーション３９から抜けた状態となるので、その後は写真フイルム２６の移送力により回転するのではなく、先端７０ａが突起５０ａの回転方向の反対側の歯面に当接している押圧レバー７０の付勢によって反時計方向に向けて回転する。この押圧レバー７０の付勢は、押圧片４３ｅと突条部７０ｂとを介してシャッタ駆動レバー４３をレリーズ完了位置に向けて付勢している捩じりバネ４６の力を利用して行っている。
【００６７】
その後、後続の歯７２ａの歯面が写真フイルム２６に当接することで、スプロケット７２の回転が一旦停止する。スプロケット７２が停止している間では、写真フイルム２６はスプロケット７２の円周面と歯面とでスリップしながら移送される。この間、押圧レバー７０の付勢が継続されており、図１３に示すように、次のパーフォレーション４０が到達することで、後続の小歯７２ａがこのパーフォレーション４０にスムーズに噛合することができる。
【００６８】
小歯７２ａがパーフォレーション４０に噛合すると、図１４に示すように、押圧レバー７０の突起５０ａへの付勢が完了しており、その後は写真フイルム２６の移送力を利用してスプロケット７２が反時計方向に回転する。このとき、シャッタチャージカム５１のカム５１ａが一端４３ｂに当接し、シャッタ駆動レバー４３を捩じりバネ４６の付勢に抗してチャージ位置に向けて回転させる。
【００６９】
写真フイルム２６の移送が継続され、大歯７２ｂがパーフォレーション３９に噛合する直前の状態で、カム５１ａがシャッタ駆動レバー４３をチャージ位置に回転させる。これにより、立ち上がり片４３ｃが下突条部４４ｃの回動軌跡内から退避するため、係止レバー４４が巻き止め位置に向けて回転する。そして、１コマ分の長さだけ写真フイルム２６が移送された時点で、スプロケット７２が半回転した状態となるため、図１５に示すように、溝５２ａに爪部４４ｂが入り込んで係止レバー４４が巻き止め位置の状態となる。
【００７０】
係止レバー４４が巻き止め位置に回転すると、スプロケット７２の回転と巻き上げノブ１５のフイルム巻き上げ操作とが禁止されるとともに、下突条部４４ｃが立ち上がり片４３ｃの回動軌跡内に入り込むため、シャッタ駆動レバー４３がチャージ位置で保持される。この状態では、カム５１ａが一端４３ｂの回動軌跡内から退避しているため、シャッタ駆動レバー４３のレリーズ完了位置までの回転が許容される。
【００７１】
シャッタレリーズにより係止レバー４４が巻き止め解除位置に向けて回転されると、図１１に示すように、シャッタ駆動レバー４４がレリーズ完了位置に向けて瞬時に回転する。この間の回転で蹴飛ばしアーム４３ｄが蹴飛ばし部４７ａを蹴飛ばすため、露光が行われる。その後、蹴飛ばしアーム４３ｄがストッパー５８に当接してシャッタ駆動レバー４３の回転か停止し、レリーズ完了位置の状態となる。このとき、押圧片４３ｅが中間レバー７０の突条部７０ｂに当接する直前に、蹴飛ばしアーム４３ｄがストッパー５８に当接するから、スプロケット７２を従動方向に付勢することはなく、したがって、露光の前後で写真フイルム２６がぶれることがないため、鮮明な画像を写し込むことができる。
【００７２】
ところで、図４から図９で説明した実施例のスプロケット４１では、万が一、小歯４１ｂが小パーフォレーション４０に噛合せずに次の大パーフォレーション３９に噛合すると、次の大歯４１ａが写真フイルム２６と干渉してフイルムの巻き上げが不能となる欠点があるのに対し、図１１ないし図１５で説明したスプロケット７２では、写真フイルム２６に当接した際に大歯７２ａが凹む方向に弾性変形してスプロケット７２が従動方向に回転できるため、コマ送りミスが１コマ分の長さで済む利点がある。
【００７３】
また、図１６及び図１７に示すように、スプロケット８０の一部を切り欠いて弾性自在に設けた歯８０ａと、この歯８０ａを弾性変形させてスプロケット８０を従動方向に押圧する押圧部８１とで構成したものでよい。このスプロケット８０には、間隔の短いパーフォレーション３９，４０に順次に係合する小歯８０ｂと大歯８０ａとが２対、１８０°隔てた円周面上にそれぞれ設けられており、これらの歯のうち大歯８０ａが弾性自在とされている。このようなスプロケット８０を成型する場合には、ＡＢＳ、ＰＰ、ＰＯＭ、ＰＢＴ、ＰＭＭＡ、ＰＣ、ＰＡ、及び液晶ポリマー等のエンジニアプラスチック材料を用いるのが望ましい。
【００７４】
押圧部８１は、スプロケット８０を回動自在に支持する内壁８２に突出して設けられている。この押圧部８１は、スプロケット８０の２対の歯８０ａ，８０ｂのうち先行する一対の歯８０ａ，８０ｂが一対のパーフォレーション３９，４０に噛合してる間で大歯８０ａを弾性変形させる壁８１ａと、その後大歯８０ａがパーフォレーション３９から外れてから後続の一対の歯８０ａ，８０ｂのうち小歯８０ｂが次のパーフォレーション４０に係合するまでの間で変形状態から元に戻ろうとする弾性力を利用してスプロケット８０を従動方向に付勢する壁８１ｂとから構成されている。
【００７５】
上記実施例では、予め写真フイルムを装填したレンズ付きフイルムユニットにフイルム巻き上げ装置を採用した例としているが、本発明ではこれに限らず、一般のカメラに採用することもできる。カメラには、フイルム巻き上げ操作が自動的に行われるものがある。この場合には、巻き上げノブ１５の代わりにモータによってシャッタレリーズ完了後にスプール３５を回転させるようにし、スプロケット４１の回転ロックによってモータにかかる負荷を検出してモータの回転を停止するように制御するのが望ましい。
【００７６】
上記実施例では、１コマあたりにサイズの異なる２個のパーフォレーション３９，４０を設けた写真フイルム２６としているが、本発明ではこれに限らず、１コマあたりに１個の大パーフォレーションと複数の小パーフォレーションとを設けた写真フイルムにも用いることができる。また、１コマあたり１個のパーフォレーションを設けた写真フイルムでもよい。これらの場合には、パーフォレーションの形状及び数に合わせてスプロケットの歯の形状及び数を決めればよい。
【００７７】
また、大小のパーフォレーションの形状としては、フイルム幅方向の長さを異ならせた形状としてもよい。また、大きさを異ならせる他に、例えば丸や三角等、形状を異ならせたものでものよい。さらに、１コマあたり２個配列されたパーフォレーション３９，４０を同じサイズにした写真フイルムにも用いることができる。これらの場合には、パーフォレーションの形状に応じてスプロケットの歯の形状も変えてやることはいうまでもない。
【００７８】
【発明の効果】
以上説明したように、本発明では、スプロケットの歯がパーフォレーションに係合している間では写真フイルムの移送力を利用してスプロケットを回転させ、また歯がパーフォレーションから外れて次のパーフォレーションに係合するまでの間では付勢手段の付勢によってスプロケットを付勢回転させるようにしたから、特定サイズのパーフォレーションが１コマあたり少なくとも１個ずつ形成された写真フイルム用のフイルム巻き上げ装置としては、安価で、しかも組み込みスペースの点でも有利となる。
【図面の簡単な説明】
【図１】レンズ付きフイルムユニットの外観を示す斜視図である。
【図２】ユニット本体の分解斜視図である。
【図３】パトローネ付き写真フイルムを示す概略説明図である。
【図４】フイルム巻き上げ機構の概略を示す分解斜視図である。
【図５】シャッタレリーズ完了後の状態を示すフイルム巻き上げ機構の説明図である。
【図６】大歯がパーフォレーションから外れた状態を示すフイルム巻き上げ機構の説明図である。
【図７】次の小歯がパーフォレーションに噛合した状態を示すフイルム巻き上げの説明図である。
【図８】シャッタチャージを行っている状態を示すフイルム巻き上げ機構の説明図である。
【図９】１コマ分だけ写真フイルムを巻き上げた状態を示すフイルム巻き上げ機構の説明図である。
【図１０】シャッタ駆動レバーをレリーズ完了位置に付勢するバネの力を利用してスプロケットを従動方向に付勢回転させる他の実施例を示す分解斜視図である。
【図１１】図１０で説明した実施例のシャッタレリーズ後の状態を示す説明図である。
【図１２】図１０で説明した実施例のスプロケットが付勢回転する状態を示す説明図である。
【図１３】図１０で説明した実施例のスプロケットの付勢回転が完了した状態を示す説明図である。
【図１４】図１０で説明した実施例のシャッタチャージ中の状態を示す説明図である。
【図１５】図１０で説明した実施例のシャッタチャージ完了後の状態を示す説明図である。
【図１６】弾性自在な歯を有するスプロケットを用いた別の実施例を示す平面図である。
【図１７】歯を弾性変形させてスプロケットを従動方向に押圧する押圧部を示す平面図である。
【符号の説明】
１０  レンズ付きフイルムユニット
１３  撮影レンズ
１４  シャッタボタン
１５  巻き上げノブ
２４  パトローネ
２６  写真フイルム
３９  大パーフォレーション
４０  小パーフォレーション
４１，７２，８０  スプロケット
４３  シャッタ駆動レバー
４４  係止レバー
４５  板バネ
５０ａ  突起
７０  押圧レバー
８０ａ  弾性自在な歯
【図１】
0003627993.tif 000002
【図２】
0003627993.tif 000003
【図３】
0003627993.tif 000004
【図４】
0003627993.tif 000005
【図５】
0003627993.tif 000006
【図６】
0003627993.tif 000007
【図７】
0003627993.tif 000008
【図８】
0003627993.tif 000009
【図９】
0003627993.tif 000010
【図１０】
0003627993.tif 000011
【図１１】
0003627993.tif 000012
【図１２】
0003627993.tif 000013
【図１３】
0003627993.tif 000014
【図１４】
0003627993.tif 000015
【図１５】
0003627993.tif 000016
【図１６】
0003627993.tif 000017
【図１７】
0003627993.tif 000018